(57)【要約】【課題】ヘッドユニットにおけるカバー体の着脱作業を、正確かつ容易に行うことを可能とする。【解決手段】ヘッドユニット２３は、インクを吐出するインクジェットヘッドを囲う壁体４０と、壁体４０に形成された開口部を覆う着脱可能なカバー体５０とを備え、カバー体５０は、壁体４０に対して固定される取付位置と、壁体４０に対して着脱可能となる着脱位置とにスライド移動可能であり、スライド移動に伴ってカバー体５０を取付位置にて固定する固定手段と、カバー体５０が着脱位置にある場合に、カバー体５０が着脱位置にあることを作業者に判別可能とさせる判別手段と、を備えている。【選択図】図４
2020128028.tif 000002
【特許請求の範囲】
【請求項１】
インクを吐出するインクジェットヘッドを囲う壁体と、
前記壁体に形成された開口部を覆う着脱可能なカバー体と、
前記カバー体は、前記壁体に対して固定される取付位置と、前記壁体に対して着脱可能となる着脱位置とにスライド移動可能であり、
前記スライド移動に伴って前記カバー体を前記取付位置にて固定する固定手段と、
前記カバー体が前記着脱位置にある場合に、前記カバー体が前記着脱位置にあることを作業者に判別可能とさせる判別手段と、
を備えることを特徴とするヘッドユニット。
【請求項２】
前記固定手段は、前記壁体から前記カバー体に対して突出した突出片と、前記カバー体が前記取付位置にある場合に前記突出片が挿通される取付け穴と、を備え、
前記判別手段は、前記突出片と、前記カバー体が前記着脱位置にある場合に前記突出片が挿通される、前記取付け穴と連設された着脱穴と、を備え、
前記突出片は、柱部と、前記柱部の先端に鍔状に設けられたフランジ部とを有し、
前記着脱穴は、前記突出片の前記フランジ部及び前記柱部のいずれも挿通可能な大きさを有し、
前記取付け穴は、前記フランジ部及び前記柱部のうち前記柱部のみが挿通可能な大きさを有することを特徴とする請求項１に記載のヘッドユニット。
【請求項３】
前記カバー体は磁性材料で形成され、
前記固定手段は、前記カバー体を磁力で吸引する磁石を備え、
前記磁石は、前記カバー体が前記取付位置にある場合に、前記壁体の前記カバー体と重なる位置に設けられることを特徴とする請求項１又は２に記載のヘッドユニット。
【請求項４】
前記判別手段は、前記カバー体が前記着脱位置にある場合に、前記磁石と重なる位置に設けられた磁力低減穴を備えることを特徴とする請求項３に記載のヘッドユニット。
【請求項５】
前記壁体は、前記カバー体に対して突出した突出片を備え、
前記カバー体は、前記カバー体が前記取付位置にある場合に前記突出片が挿通される取付け穴と、前記カバー体が前記着脱位置にある場合に前記突出片が挿通される、前記取付け穴と連設された着脱穴と、を備え、
前記磁力低減穴は、前記取付け穴及び前記着脱穴の近傍に配されることを特徴とする請求項４に記載のヘッドユニット。
【請求項６】
前記磁石は、長尺形状であり、
前記カバー体は、前記磁石の長手方向と交差する方向のスライド移動により着脱可能であることを特徴とする請求項４又は５に記載のヘッドユニット。
【請求項７】
前記磁石は、前記インクジェットヘッドの主走査方向に沿って延在して設けられることを特徴とする請求項６に記載のヘッドユニット。
【請求項８】
前記カバー体は、当該カバー体のスライド移動に伴って前記磁石と摺接する清掃体を備えることを特徴とする請求項４から７のいずれか一項に記載のヘッドユニット。
【請求項９】
前記カバー体が前記壁体に装着された状態において、前記カバー体の縁部に押圧力を加える押圧部を備えることを特徴とする請求項１から８のいずれか一項に記載のヘッドユニット。
【請求項１０】
前記壁体の内側には、
前記カバー体の開閉を検知するためのインターロックスイッチと、
前記カバー体のスライド移動に伴って、前記インターロックスイッチを押圧するオン位置と、前記押圧の解除されるオフ位置との間で回動可能に構成される可動レバーと、
を備え、
前記可動レバーの回動軸は、前記カバー体の移動方向に直交する方向に沿うように配置されていることを特徴とする請求項１から９のいずれか一項に記載のヘッドユニット。
【請求項１１】
記録媒体を外周面上に保持して回転することにより搬送する画像形成ドラムの、外周面に沿って配置されることを特徴とする請求項１から１０のいずれか一項に記載のヘッドユニット。
【請求項１２】
請求項１から１１のいずれか一項に記載のヘッドユニットを備えることを特徴とするインクジェット記録装置。
【発明の詳細な説明】
【技術分野】
【０００１】
この発明は、ヘッドユニット及びインクジェット記録装置に関する。
【背景技術】
【０００２】
従来、インクを吐出するインクジェットヘッドを搭載したヘッドユニットを、搬送される記録媒体に対向して配置させ、記録媒体に対して画像や被膜などを形成するインクジェット記録装置が知られている。インクジェット記録装置では、インクジェットヘッドの寿命や故障などが生じたときに、そのヘッドを新規なものと交換することが行われている。
インクジェットヘッドを交換するにあたり、ヘッドユニットとしては、その外壁に形成された開口部を介して内部に搭載されたインクジェットヘッドを取り出し、新規なものを取り付けることを可能とした構成がある。ヘッドユニットの外壁に形成された開口部は、着脱可能なカバー体により閉塞されており、カバー体は、所定の取付位置にねじ止めされている。
【０００３】
しかしながら、カバー体の固定にねじが用いられている場合、取付けや取り外しに工具が必要であったり、取り外したねじを紛失する懸念があったりして、カバー体の着脱作業が煩雑であった。
そこで、着脱作業を容易にするための構成が検討されており、例えば、特許文献１には、カバー取付面部に対してカバー体を回転させることで、カバー体が磁気吸引力により取付けられる取付用姿勢と、磁気吸引力の小さな取外用姿勢とに姿勢を変更可能とする構成が提案されている。かかる構成であれば、カバー体は、動かす動作に伴って取付用姿勢にて固定されるため、着脱作業を容易に行うことができる。
【先行技術文献】
【特許文献】
【０００４】
【特許文献１】特許第５９５５９９９号公報
【発明の概要】
【発明が解決しようとする課題】
【０００５】
しかしながら、特許文献１に記載の技術では、どこでカバー体が着脱できるか明確にわかり難く、ともすればカバー体が脱落するなど、容易でありながらも正確に作業を行うにあたって未だ改善の余地があった。
【０００６】
この発明は、上記課題に鑑みてなされたものであり、ヘッドユニットにおけるカバー体の着脱作業を、正確かつ容易に行うことのできるヘッドユニット及びインクジェット記録装置を提供することを目的とする。
【課題を解決するための手段】
【０００７】
上記課題を解決するため、本発明のヘッドユニットは、
インクを吐出するインクジェットヘッドを囲う壁体と、
前記壁体に形成された開口部を覆う着脱可能なカバー体と、
前記カバー体は、前記壁体に対して固定される取付位置と、前記壁体に対して着脱可能となる着脱位置とにスライド移動可能であり、
前記スライド移動に伴って前記カバー体を前記取付位置にて固定する固定手段と、
前記カバー体が前記着脱位置にある場合に、前記カバー体が前記着脱位置にあることを作業者に判別可能とさせる判別手段と、
を備えることを特徴とする。
【０００８】
また、本発明のインクジェット記録装置は、
上記ヘッドユニットを備えることを特徴とする。
【発明の効果】
【０００９】
本発明によれば、ヘッドユニットにおけるカバー体の着脱作業を、正確かつ容易に行うことができる。
【図面の簡単な説明】
【００１０】
【図１】インクジェット記録装置の構成を正面から見た模式図である。
【図２】ヘッドユニットの正面図である。
【図３】ヘッドユニットの底面図である。
【図４】ヘッドユニットの側面図である。
【図５】ヘッドユニットの側面図である。
【図６】カバー体を外した状態のヘッドユニットの側面図である。
【図７】壁体に備えられた突出片の側面図である。
【図８】壁体に備えられた押圧部の斜視図である。
【図９】インターロック部を示す図である。
【図１０】インターロック部の動作を説明するための図である。
【図１１】カバー体を示す斜視図である。
【図１２】図１１の領域Ｒ１を示す要部拡大図である。
【図１３】カバー体の着脱作業を説明するための図である。
【図１４】カバー体の着脱作業を説明するための図である。
【発明を実施するための形態】
【００１１】
以下、本発明の実施の形態を図面に基づいて説明する。ただし、発明の範囲は、図示例に限定されない。
【００１２】
［インクジェット記録装置］
図１は、本発明の実施形態のインクジェット記録装置１の構成を正面から見た模式図である。
【００１３】
インクジェット記録装置１は、媒体供給部１０と、記録動作部２０と、媒体排出部３０などを備えている。このインクジェット記録装置１では、図示略の制御部による制御動作に基づいて、媒体供給部１０に格納された記録媒体Ｍが記録動作部２０に搬送され、画像が記録された後に、媒体排出部３０へ排出される。
【００１４】
媒体供給部１０は、媒体供給トレー１１と供給搬送部１２などを有する。
媒体供給トレー１１は、記録媒体Ｍを一又は複数載置可能に設けられた板状部材である。媒体供給トレー１１は、載置された記録媒体Ｍの量に応じて上下動し、記録媒体Ｍのうち一番上のものが供給搬送部１２による搬送開始位置に保持される。記録媒体Ｍとしては、種々の厚さの印刷用紙、セル、フィルムや布帛など種々のものが用いられ得る。記録媒体Ｍは、インクが内部に浸透しない非吸収性の材質の表面を有するものであっても良い。
供給搬送部１２は、複数、例えば、２本のローラー１２１、１２２と、内側面でローラー１２１、１２２により支持された輪状のベルト１２３と、媒体供給トレー１１上に載置された記録媒体Ｍのうち一番上のものをベルト１２３に受け渡す図示略の供給部と、を有する。供給搬送部１２は、ローラー１２１、１２２の回転によるベルト１２３の周回移動に従って供給部によりベルト１２３上に受け渡された記録媒体Ｍを搬送して記録動作部２０へ送る。
【００１５】
記録動作部２０は、例えば、画像形成ドラム２１と、受け渡しユニット２２と、ヘッドユニット２３と、定着部２４と、デリバリー部２５と、を備える。
【００１６】
画像形成ドラム２１は、円筒状の外周形状を有し、当該外周面（搬送面）上に記録媒体Ｍを担持して、その回転動作に応じた搬送経路で記録媒体Ｍを搬送する。画像形成ドラム２１の内面にヒーターを設け、搬送面上に載置された記録媒体Ｍが所定の設定温度になるよう搬送面を加熱しても良い。
【００１７】
受け渡しユニット２２は、供給搬送部１２から受け渡された記録媒体Ｍを画像形成ドラム２１に受け渡す。受け渡しユニット２２は、媒体供給部１０の供給搬送部１２と画像形成ドラム２１との間の位置に設けられている。受け渡しユニット２２は、供給搬送部１２により送られてきた記録媒体Ｍの一端を把持する爪部２２１と、爪部２２１に把持された記録媒体Ｍを誘導する円筒状の受け渡しドラム２２２などを有する。爪部２２１により供給搬送部１２から取得された記録媒体Ｍは、受け渡しドラム２２２に送られると回転する受け渡しドラム２２２の外周面に沿って移動し、そのまま画像形成ドラム２１の外周面に誘導されて受け渡される。
【００１８】
ヘッドユニット２３は、記録媒体Ｍが担持された画像形成ドラム２１の回転に応じ、記録媒体Ｍと対向するインク吐出面２３１ａ（図３参照）に設けられた複数のノズル開口からヘッドユニット２３と相対移動する当該記録媒体Ｍの各所にインクの液滴を吐出していくことで画像を形成する。
本実施形態のインクジェット記録装置１では、ヘッドユニット２３は、画像形成ドラム２１の外周面から予め設定された距離だけ離隔されて、所定の間隔で４つ配置されている。４つのヘッドユニット２３は、ＣＭＹＫ４色（シアン、マゼンタ、イエロー、黒色）のインクをそれぞれ出力する。
ここでは、記録媒体Ｍの搬送方向について上流側から順番にＹ、Ｍ、Ｃ、Ｋの各色インクがそれぞれ吐出される。インクとしては、任意のものが用いられ得るが、ここでは、温度に応じてゾル状態とゲル状態との間で相変化し、また、所定のエネルギー線、例えば、紫外線の照射により定着するインクが用いられる。ゾル状態でヘッドユニット２３から吐出されたインクは、記録媒体Ｍ上に着弾すると温度が低下して速やかにゲル化して粘度が増大し、定着部２４から照射される紫外線によりインクが記録媒体Ｍに定着する。
ヘッドユニット２３の各々は、ここでは、画像形成ドラム２１の回転との組み合わせにより記録媒体Ｍ上の画像記録幅にわたって画像を形成可能なラインヘッドである。
【００１９】
定着部２４は、記録媒体Ｍの表面に対して所定のエネルギー線、ここでは、上述のように紫外線を照射する。定着部２４は、例えば、紫外線発光するＬＥＤランプなどを有する。
定着部２４は、画像形成ドラム２１の外周面の近傍であって、画像形成ドラム２１の回転により搬送される記録媒体Ｍ上にヘッドユニット２３からインクの吐出がなされた後、記録媒体Ｍが画像形成ドラム２１からデリバリー部２５に渡る前の範囲で当該記録媒体Ｍに紫外線を照射可能に配置されている。定着部２４は、遮蔽部材を有し、搬送面上の記録媒体Ｍの所定の範囲以外への紫外線の照射量を当該所定の範囲と比較して十分に低下させている。
【００２０】
デリバリー部２５は、インクが吐出、定着された記録媒体Ｍを画像形成ドラム２１から媒体排出部３０に搬送する。デリバリー部２５は、複数（例えば、２本）のローラー２５１、２５２と、内側面でローラー２５１、２５２に支持された輪状のベルト２５３と、円筒状の受け渡しローラー２５４などを有する。デリバリー部２５は、受け渡しローラー２５４により画像形成ドラム２１上の記録媒体Ｍをベルト２５３上に誘導し、受け渡された記録媒体Ｍをローラー２５１、２５２の回転に伴い周回移動するベルト２５３と共に移動させることで搬送して媒体排出部３０に送り出す。
【００２１】
媒体排出部３０は、記録動作部２０から送り出された画像記録後の記録媒体Ｍをユーザーにより取り出されるまで格納する。媒体排出部３０は、デリバリー部２５により搬送された記録媒体Ｍが載置される板状の媒体排出トレー３１などを有する。
【００２２】
［ヘッドユニット］
図２は、図１における、記録媒体Ｍの搬送方向において最も下流側のヘッドユニット２３を示す正面図である。
図２に示すように、ヘッドユニット２３は、壁体４０で囲われ、その内部にインクを吐出する複数のインクジェットヘッド２３１を収納している。
また、インクジェットヘッド２３１の画像形成ドラム２１と対向する底面には、ノズル開口が露出したインク吐出面２３１ａが形成されている。
【００２３】
図３は、ヘッドユニット２３の底面図である。
図３に示すように、ヘッドユニット２３には、インクジェットヘッド２３１が幅方向について重複部分を含みながら複数個（例えば、ここでは８個）順番に配列されている。複数のインクジェットヘッド２３１は、それぞれ幅方向に延在する方向で、搬送方向について２箇所に分かれ、千鳥格子状に配置されて固定されている。かかるインクジェットヘッド２３１はインク吐出面２３１ａのノズル開口からインクを吐出し、画像形成ドラム２１に担持された記録媒体Ｍに画像を形成する。
【００２４】
図４及び図５は、図２のヘッドユニット２３の側面図である。図４は、図２における矢印ＩＶの方向から見た図あり、図５は、図２における矢印Ｖの方向から見た図である。
図４及び図５に示すように、ヘッドユニット２３において壁体４０の側面には、着脱可能なカバー体５０が取り付けられている。なお、カバー体５０は、壁体４０の両側面に取り付けられるものである（図２参照）。
カバー体５０は、壁体４０の側面に形成された開口部４１（図６参照）を閉塞するように取り付けられ、このカバー体５０を取り外すことで、壁体４０の内部のインクジェットヘッド２３１を交換することが可能となっている。
本実施形態において、ヘッドユニット２３は円筒状の画像形成ドラム２１の外周形状に沿って配されるため、壁体４０はこれに合わせた形状となり、図４、図５の場合には、傾斜部４０ａと直立部４０ｂを有している。また、カバー体５０もこれに合わせた形状となり、傾斜部５０ａと直立部５０ｂを有している。
【００２５】
ここで、壁体４０の側面の構成について説明する。
図６は、図４のヘッドユニット２３において、壁体４０の側面からカバー体５０を取り外した外した状態を示す図である。
【００２６】
図６に示すように、カバー体５０を外した状態において、壁体４０の側面には、幅方向に長尺な開口部４１が形成されている。開口部４１は、インクジェットヘッド２３１を取り出し可能なサイズを有する。
また、壁体４０の側面において開口部４１の周辺には、カバー体５０の着脱穴５１（後述）を引掛けて保持するための突出片４２と、カバー体５０を磁力により保持するための磁石４３と、カバー体５０を適正な位置にて固定するための押圧部４４と、が備えられている。
【００２７】
図７は、突出片４２の側面図である。
図７に示すように、突出片４２は、壁体４０の壁面から突出した柱部４２ａと、柱部４２ａの先端に備えられた鍔状のフランジ部４２ｂとを有する。
柱部４２ａは、カバー体５０を支持する部位である。柱部４２ａは円柱状であって、その長さ（壁体４０の壁面からフランジ部４２ｂまでの距離）は、カバー体５０の厚み以上である。フランジ部４２ｂは、平面視円形状であり、その直径は柱部４２ａの直径よりも大きくなっている。
この突出片４２は、壁体４０の側面において、開口部４１の幅方向両端部近傍の２箇所に設けられており、カバー体５０の着脱穴５１に挿通され、カバー体５０を引掛けた状態として保持することができる。なお、カバー体５０を保持可能であれば、突出片４２の数や設置位置に限定はない。
【００２８】
磁石４３は、突出片４２の上方に設けられている。磁石４３と突出片４２の位置を一度で目視により把握可能とするため、磁石４３は突出片４２の近傍に設けられることが好ましい。
また、磁石４３は長方形状であって、ヘッドユニット２３の主走査方向に沿って延在するように設置されていることが好ましい。
磁石４３を長方形状とすることで、カバー体５０の固定をするための十分な磁力を有するものとすることができる。また、この磁石４３の延在方向がカバー体５０の移動方向に沿う場合、カバー体５０のスライド量が多くなってしまうところ、磁石４３の延在方向がヘッドユニット２３の主走査方向に沿うことによって、磁石４３とカバー体５０の接触面積を大きく取りつつ、スライド量は少なくすることができる。
なお、カバー体５０の固定をするための十分な磁力を有するものであれば磁石４３の形状に限定はなく、その設置方向も上記に限定されるものではない。
【００２９】
図８は、押圧部４４を示す斜視図である。
図８に示すように、押圧部４４は、幅方向の一端部４４ａが支点４４１により回転可能に軸支され、幅方向の他端部４４ｂが、壁体４０の側面に固設されたねじ４４２に着脱可能に係止されている。また、押圧部４４の下端部４４ｃには、壁体４０の壁面に対して起立し、開口部４１の上縁部に平行な板状の圧接部４４３が備えられている。
この押圧部４４は、開口部４１の上縁部に沿った２箇所に設けられており、壁体４０にカバー体５０が取り付けられた際、押圧部４４の他端部４４ｂをねじ４４２に係止させ、圧接部４４３によりカバー体５０に設けられた被押圧部５４（後述）に押圧力を付与することで、カバー体５０を適正な位置に押し込むことができる。
【００３０】
図６に戻って、壁体４０の内部には、カバー体５０の有無（カバー体５０が取り付けられているか否か）を検知するインターロック部４５が設けられている。
図９は、インターロック部４５のカバーを取り外した状態を示す図である。図１０は、図９のインターロック部４５を矢印Ｘ方向から見た図である。
【００３１】
図９及び図１０に示すように、インターロック部４５は、回動軸４５１により軸支され回動する可動レバー４５２と、インターロックスイッチ４５３とを備えている。
インターロックスイッチ４５３は、カバー体５０が閉じている場合には可動レバー４５２により押圧され、カバー体５０が閉位置にあることを検知する。また、カバー体５０が開いている場合には、可動レバー４５２によるインターロックスイッチ４５３の押圧は解除され、カバー体５０が開位置にあることを検知する。
つまり、図１０に示すように、カバー体５０に備えられた作用部５５が、可動レバー４５２の先端部４５２ａに接触してこれを回動させることで、インターロックスイッチ４５３はＯＮ状態となる。
なお、図９及び図１０では、可動レバー４５２の下端部に回動軸４５１が設けられた構成であるが、可動レバー４５２の上端部に回動軸４５１が設けられた構成であっても良い。
ここで、図９及び図１０に示すように、可動レバー４５２の回動軸４５１は、カバー体５０のスライド方向に対して直交する方向に沿って配置されていると、可動レバー４５２をスムーズに動かすことができるため好ましい。例えば、可動レバー４５２の回動軸４５１がカバー体５０のスライド方向に沿っていると、可動レバー４５２がスムーズに倒れることができないことがある。
【００３２】
次に、カバー体５０の構成について説明する。
図１１は、カバー体５０を示す斜視図である。図１２は、図１１の領域Ｒ１の構成を示す要部拡大図である。
【００３３】
図１１に示すように、カバー体５０は、幅方向に長尺な板体である。カバー体５０は、壁体４０の開口部４１を覆うことの可能なサイズを有し、鉄等の磁性材料で形成されている。なお、少なくとも磁石４３に吸着される箇所が磁性材料で形成されていれば良い。
また、カバー体５０において、長手方向の両端部には着脱穴５１及び取付け穴５２が設けられ、これらのやや上方には磁力低減穴５３が設けられ、カバー体５０の上縁部には、被押圧部５４が設けられている。
【００３４】
図１２に示すように、着脱穴５１は略円形状に形成され、着脱穴５１の上縁部には、当該着脱穴５１と連続して取付け穴５２が形成されている。
着脱穴５１は、壁体４０の側面に突設された突出片４２を抜き差しさせるためのものであり、カバー体５０には、２つの着脱穴５１が２つの突出片４２に対応する位置となるよう形成されている。この着脱穴５１の直径は、突出片４２のフランジ部４２ｂの直径よりも大きなサイズである。すなわち、着脱穴５１は、突出片４２の柱部４２ａ及びフランジ部４２ｂのいずれも挿通可能な大きさを有する。
取付け穴５２は、突出片４２を挿通させた状態で、カバー体５０を位置決め・固定するためのものである。具体的に、着脱穴５１に挿通させた突出片４２が取付け穴５２に嵌まるようにカバー体５０をスライド移動させることで、カバー体５０を位置決め・固定することができる。逆に、取付け穴５２に嵌った突出片４２が、着脱穴５１に挿通した状態となるようにカバー体５０をスライド移動させることで、カバー体５０は取り外し可能となる。この取付け穴５２は、突出片４２の柱部４２ａ及びフランジ部４２ｂのうち柱部４２ａのみが挿通可能な大きさであれば良く、特に、柱部４２ａが嵌合する大きさであることが好ましい。
なお、突出片４２が着脱穴５１に挿通された状態において、カバー体５０が着脱位置にあることを作業者は目視により確認できるため、突出片４２と着脱穴５１は、判別手段として機能している。
また、スライド移動に伴ってカバー体５０を取付位置にて固定できるため、突出片４２と取付け穴５２は、固定手段として機能している。
【００３５】
また、磁力低減穴５３は、着脱穴５１及び取付け穴５２のやや上方に形成される。磁力低減穴５３は、壁体４０に設置された磁石４３以上のサイズに形成される。
磁力低減穴５３と着脱穴５１の位置関係は、磁石４３と突出片４２の位置関係と同一である。すなわち、突出片４２が着脱穴５１に挿通された状態にあるとき、磁力低減穴５３と磁石４３が重なって、磁力低減穴５３から磁石４３が露出している。また、突出片４２が取付け穴５２に挿通された状態にあるとき、磁力低減穴５３と磁石４３は位置がずれて、磁石４３はカバー体５０に覆われた状態となる。これにより、着脱穴５１に突出片４２を抜き差しする際には、カバー体５０に作用する磁力が低減され、カバー体５０を容易に取付け、取り外しすることができるようになっている。
なお、磁力低減穴５３と磁石４３が重なった状態において、カバー体５０が着脱位置にあることを作業者は目視により確認できるため、磁力低減穴５３は判別手段として機能している。また、スライド移動に伴ってカバー体５０を取付位置にて固定できるため、磁石４３は、固定手段として機能している。
【００３６】
また、被押圧部５４は、カバー体５０の板面から起立し、カバー体５０の上縁部に平行な板状に形成されている（図８参照）。
被押圧部５４は、壁体４０の側面に設けられた押圧部４４により付与される押圧力を受けるためのものであって、押圧部４４の圧接部４４３と対向する位置に設けられている。
【００３７】
また、カバー体５０の裏面において、インターロック部４５と対向する位置には、可動レバー４５２に接触する作用部５５が備えられている（図１０参照）。
また、カバー体５０の裏面において、カバー体５０の装着時に磁石４３と接触する位置には、カバー体５０のスライド移動に伴って、磁石４３に摺接する清掃体５６が設けられることも好ましい。
【００３８】
[カバー体の着脱作業]
次に、壁体４０に対するカバー体５０の着脱作業について説明する。
図１３（ａ）（ｂ）は、カバー体５０の着脱機構を示す図である。また、図１４（ａ）（ｂ）は、押圧部４４の動作を示す図である。
【００３９】
まず、壁体４０からカバー体５０を取り外す場合、作業者は、押圧部４４を回転させ、押圧部４４がカバー体５０の着脱の邪魔にならないように移動させる（図１４（ａ）から図１４（ｂ））。
次いで、カバー体５０を上方にスライド移動させ、突出片４２の柱部４２ａを、取付位置である取付け穴５２から離脱させていく（図１３（ａ）から図１３（ｂ））。
そして、突出片４２のフランジ部４２ｂが、着脱位置である着脱穴５１の略中心まできた時点で、カバー体５０を取り外すことが可能となる。また、この着脱位置においては、カバー体５０に設けられた磁力低減穴５３と磁石４３が重なるため、カバー体５０に作用する磁力が低減され、カバー体５０を容易に取り外すことが可能となる（図１３（ｂ））。
【００４０】
以上より、突出片４２と着脱穴５１の位置から、カバー体５０が取り外せる状態であることを目視により確認できる。また、着脱位置において磁力が低減されるため、カバー体５０が取り外せる状態であることを感覚として確認できる。
このため、どれだけ動かしたらどのタイミングでカバー体５０が取り外せるか、確認しながら作業できるため、いつ外れるかわかならいという不安な状態でカバー体５０の取り外しを行う必要が無く、また、磁力が低減されることで無理な力を入れずにスムーズにカバー体５０を取り外すことができる。
【００４１】
一方、壁体４０にカバー体５０を取り付ける場合、作業者は、着脱位置である着脱穴５１に突出片４２を挿通させる（図１３（ｂ））。そして、突出片４２の柱部４２ａを取付位置である取付け穴５２に嵌めるように、カバー体５０をスライド移動させる。このスライド移動に伴って柱部４２ａが取付け穴５２に嵌合し、カバー体５０が位置決め・固定される（図１３（ａ））。また、スライド移動に伴って柱部４２ａが取付け穴５２に嵌合した時点で、磁石４３の磁力がカバー体５０に作用しているため、カバー体５０が強固に固定される。ここで、突出片４２がフランジ部４２ｂを有することで、柱部４２ａが取付け穴５２に嵌合した状態において、たとえカバー体５０に磁力が効いていなくとも、カバー体５０が脱落する懸念が無い。
次いで、作業者は、押圧部４４によりカバー体５０に押圧力を加える（図１４（ｂ）から図１４（ａ））。
この時、仮にカバー体５０が正しい位置になっておらず、取付け穴５２と突出片４２とがずれているような場合にも、圧接部４４３が被押圧部５４に押圧力を付与することで、カバー体５０を正しい位置まで押し込むことができ、カバー体５０の取り付けミスを防止することができる。
【００４２】
以上より、突出片４２と着脱穴５１の位置から、カバー体５０が取り付けられる状態であることを目視により確認できる。また、カバー体５０のスライド移動に伴って、柱部４２ａが取付け穴５２に嵌合し且つ磁力が作用してカバー体５０が固定されるため、煩雑な位置合わせや固定作業が必要ない。
このため、正確かつ容易にカバー体５０を取り付けることができる。
【００４３】
[実施形態による効果]
以上のように、本実施形態によれば、ヘッドユニット２３は、インクを吐出するインクジェットヘッド２３１を囲う壁体４０と、壁体４０に形成された開口部４１を覆う着脱可能なカバー体５０とを備え、カバー体５０は、壁体４０に対して固定される取付位置と、壁体４０に対して着脱可能となる着脱位置とにスライド移動可能であり、スライド移動に伴ってカバー体５０を取付位置にて固定する固定手段と、カバー体５０が着脱位置にある場合に、カバー体５０が前記着脱位置にあることを作業者に判別可能とさせる判別手段と、を備えている。
具体的に、固定手段は、壁体４０からカバー体５０に対して突出した突出片４２と、カバー体５０が取付位置にある場合に突出片４２が挿通される取付け穴５２とを備え、判別手段は、突出片４２と、壁体４０が着脱位置にある場合に突出片４２が挿通される取付け穴５２と連設された着脱穴５１とを備える。また、突出片４２は、柱部４２ａと、柱部４２ａの先端に鍔状に設けられたフランジ部４２ｂとを有し、着脱穴５１は、突出片４２のフランジ部４２ｂ及び柱部４２ａのいずれも挿通可能な大きさを有し、取付け穴５２は、フランジ部４２ｂ及び柱部４２ａのうち柱部４２ａのみが挿通可能な大きさを有する。
このため、カバー体５０の着脱穴５１と突出片４２とを合わせるだけで、作業者は着脱位置が把握できる。また、カバー体５０をスライド移動させるだけで、取付け穴５２に対して突出片４２を嵌めたり外したりでき、容易にカバー体５０の取付け、取り外しができる。よって、壁体４０に対するカバー体５０の着脱作業を、正確かつ容易に行うことができる。
【００４４】
また、本実施形態によれば、カバー体５０は、磁性材料で形成され、固定手段は、前記カバー体５０を磁力で吸引する磁石４３を備え、磁石４３は、カバー体５０が取付位置にある場合に、壁体４０のカバー体５０と重なる位置に設けられる。
このため、カバー体５０をより強固に固定することができる。
【００４５】
また、本実施形態によれば、判別手段は、カバー体５０が着脱位置にある場合に、磁石４３と重なる位置に設けられた磁力低減穴５３を備える。
このため、突出片４２と着脱穴５１が合った時点で、カバー体５０に設けられた磁石４３と磁力低減穴５３が重なるため、カバー体５０に作用する磁力が弱まり、カバー体５０が着脱位置にあることを感覚的に把握できる。また、カバー体５０を取り外す際に、無理な力を入れずにスムーズに取り外すことができる。
【００４６】
また、本実施形態によれば、磁力低減穴５３は、着脱穴５１及び取付け穴５２の近傍に配される。
このため、作業者が、磁石４３と突出片４２の位置を一度で目視により把握することができることとなり、作業性が良い。
【００４７】
また、本実施形態によれば、磁石４３は長尺形状であり、カバー体５０は、磁石４３の長手方向と交差する方向へのスライド移動により着脱可能である。
このため、カバー体５０の取り外し時に、カバー体５０のスライド移動を短くすることができ、カバー体５０の移動スペースの省略や、カバー体５０の着脱の時短化ができる。
【００４８】
また、本実施形態によれば、磁石４３は、ヘッドユニット２３の主走査方向に沿って延在して設けられ、カバー体５０は、磁石４３の延在方向と交差する上下方向にスライド移動により着脱可能である。
このため、磁石４３の延在方向がヘッドユニット２３の主走査方向に沿うことで、磁石４３とカバー体５０の接触面積を大きく取りつつ、カバー体５０のスライド量を少なくすることができる。よって、カバー体５０のスライド移動を短くしつつ、固定時に十分な磁力を作用させることができる。
【００４９】
また、本実施形態によれば、カバー体５０は、当該カバー体５０のスライド移動に伴って磁石４３を摺接する清掃体５６を備える。
このため、磁石４３に付着した汚れが拭き取られ、磁力の低減を防止することができる。
【００５０】
また、本実施形態によれば、突出片４２が取付け穴５２に挿通した状態において、カバー体５０の縁部に押圧力を加える押圧部４４を備える。
このため、突出片４２が取付け穴５２に挿通した状態において、万一、位置ずれが発生していたとしても、押圧力を付与することでカバー体５０を適正な位置に押し込むことができ、さらにその位置で固定することができる。
【００５１】
また、本実施形態によれば、壁体４０の内側には、カバー体５０の開閉を検知するためのインターロックスイッチ４５３が配置され、カバー体５０の内面には作用部５５が設けられ、インターロックスイッチ４５３は、カバー体５０のスライド移動に伴って作用部５５による押圧あるいは押圧の解除により、オン位置とオフ位置との間で回動可能に構成された可動レバー４５２により開閉を検知し、可動レバー４５２の回動軸４５１は、カバー体５０の移動方向に直交する方向に沿うように配置されている。
このため、カバー体５０の移動に伴って可動レバー４５２をスムーズに動かすことができる。
【００５２】
また、本実施形態によれば、ヘッドユニット２３は、記録媒体Ｍを外周面上に保持して回転することにより搬送する画像形成ドラム２１の、前記外周面に沿って配置される。
すなわち、ヘッドユニット２３は画像形成ドラム２１の曲面形状に沿って配されることとなり、壁体４０及びカバー体５０はこれに合わせられるため、自重により落下しやすい配置となるところ、取付け穴５２に突出片４２を合致させることで、カバー体５０の脱落を防止することができるので、より有益である。
[その他]
【００５３】
なお、本発明を適用可能な実施の形態は、上述した実施形態に限定されることなく、本発明の趣旨を逸脱しない範囲で適宜変更可能である。
【００５４】
例えば、上記実施形態においては、取付位置において、取付け穴５２に突出片４２が嵌合するとともに磁石４３の磁力が作用して、壁体４０とカバー体５０が強固に固定される構成としたが、取付け穴５２に突出片４２が嵌合して壁体４０とカバー体５０が固定される場合、磁石４３を備えないこととしても良い。なお、磁石４３を備えない場合、直立部４０ｂに突出片４２を設けることが好ましい。
または、取付け穴５２が突出片４２を遊嵌させる大きさであっても、突出片４２が取付け穴５２に入った状態で、磁石４３の磁力が作用して固定されれば良い。
【００５５】
また、上記実施形態においては、取り付けられた状態のカバー体５０の縁部に押圧力を加える押圧部４４を備える構成としたが、押圧部４４を備えなくとも良いし、押圧部４４の代わりに、壁体４０に対してカバー体５０を挟み込む板ばね等の他の構成を備えても良い。
【００５６】
また、上記実施形態においては、着脱穴５１の真上に取付け穴５２を備え、カバー体５０を上下方向にスライド移動させる構成であったが、取付け穴５２は着脱穴５１に対して真上以外の方向に形成されていても良い。この場合には、長方形状の磁石４３は、着脱穴５１の中心から取付け穴５２の中心に対する方向と直交する方向に沿って延在するように配置することが好ましい。
【００５７】
また、上記実施形態においては、突出片４２と着脱穴５１とが判別手段として機能し、着脱穴５１に突出片４２を挿通させることで着脱位置であることを把握可能とさせるものであったが、例えば、着脱穴５１とフランジ部４２ｂに目印を備え、着脱穴５１に突出片４２を挿通させた状態で、両者の目印を合わせることで、着脱位置であることを把握可能とさせても良い。このように目印を備えることで、作業者は着脱位置をより容易に把握することが可能となる。
【００５８】
また、上記実施形態においては、突出片４２と着脱穴５１とが判別手段として機能する構成を例示して説明したが、カバー体５０が着脱位置にあることを作業者に判別可能とさせるものであれば、例えばカバー体５０と壁体４０に目印をつけるなど、判別手段はこれ以外の構成であっても良い。
【符号の説明】
【００５９】
１  インクジェット記録装置
２０  記録動作部
２１  画像形成ドラム
２３  ヘッドユニット
２３１  インクジェットヘッド
２３１ａ  インク吐出面
４０  壁体
４０ａ  傾斜部
４０ｂ  直立部
４１  開口部
４２  突出片
４２ａ  柱部
４２ｂ  フランジ部
４３  磁石
４４  押圧部
４４１  支点
４４２  ねじ
４４３  圧接部
４４ａ  一端部
４４ｂ  他端部
４４ｃ  下端部
４５  インターロック部
４５１  回動軸
４５２  可動レバー
４５２ａ  先端部
４５３  インターロックスイッチ
５０  カバー体
５０ａ  傾斜部
５０ｂ  直立部
５１  着脱穴
５２  取付け穴
５３  磁力低減穴
５４  被押圧部
５５  作用部
５６  清掃体
【図１】
2020128028.tif 000003
【図２】
2020128028.tif 000004
【図３】
2020128028.tif 000005
【図４】
2020128028.tif 000006
【図５】
2020128028.tif 000007
【図６】
2020128028.tif 000008
【図７】
2020128028.tif 000009
【図８】
2020128028.tif 000010
【図９】
2020128028.tif 000011
【図１０】
2020128028.tif 000012
【図１１】
2020128028.tif 000013
【図１２】
2020128028.tif 000014
【図１３】
2020128028.tif 000015
【図１４】
2020128028.tif 000016